(57)【要約】      （修正有）【課題】可動棚の位置変更を容易に行える機能を備えた、より自由度の高いレイアウトが可能な組立棚を提供する。【解決手段】波形状に欠き取られた面の山になる部分を斜め上に、谷になる部分を斜め下に傾けた形状面を持った棚受柱１０，２０を、取り付け面に対し、平行に取り付け、ダボ６１が取り付けられた可動棚６０を、正面から最小動作で棚位置を変更できるようにする。組立は、接合仲介部品７０を使って側板を挟んだ左右両側の棚板を、同一水平ライン上で固定出来るよう、接合する方向に対し直交する方向からネジで固定して行う。【選択図】図２
2016083244.tif 000002
【特許請求の範囲】
【請求項１】
波形状に縦に欠き取られた面の、波形の山の部分を斜め上に、谷の部分を斜め下に傾けた形状面と、その形状面に対し直交する支持部を持ち、その支持部を使って、取り付け面に対し、波形状の面を平行にして取り付ける棚受柱。
【請求項２】
同じ部材の中に、少なくとも一箇所の貫通孔と、貫通孔の向きに対し直交する方向からの力を斜めに受ける傾斜面を持つ接合仲介部品。
【請求項３】
請求項１の棚受柱と請求項２の接合仲介部品を使った組立棚。
【発明の詳細な説明】
【技術分野】
【０００１】
本発明は、棚位置の変更が容易に出来る可動棚を備えた、自由度の高いレイアウトが行える、組立棚に関するものである。
【背景技術】
【０００２】
既存棚の多くは棚位置が変更出来ない固定棚か、または側板に取り付けた四ヶ所のダボを付け変えて棚位置を変更する可動棚か、どちらかのタイプである。前者は棚位置が固定されるため、棚に納めるものによっては納めるものと棚との間に無駄な空きが出来てしまう。後者は棚を一旦外し四箇所のダボを付け変える手間が伴う。よって棚を一度セットすると棚位置を変更することは殆どない。どちらの場合も棚に納めるものに対し、適正な棚位置で棚を使えてない現状がある。
【０００３】
棚位置を変更出来る可動棚には、縦に連続する長孔を有する棚柱に、棚受部品を取り付け、棚を支えるものがある。棚柱は壁や家具の側板に取り付けて使用する。この棚柱を取り付ければ可動棚付の棚を簡単に作ることが出来る。しかし棚位置を変更するには、棚を一旦外し、棚柱の長孔に取り付けた四箇所の棚受部品を付け変えなければならないため、ダボを付け変えるのと同様の手間が伴う。
【０００４】
別の可動棚には、縦に連続する長孔を有する棚柱において、棚を取り付けたブラケットを正面から長孔に引っ掛けて棚を固定するものがある。ブラケットと棚板は同時に動くため、ブラケットを引っ掛ける長孔の位置を変えれば簡単に棚位置を変更出来る。しかしこの可動棚は方持ちであるため、強度、安定面に不安がある。
【０００５】
組立棚において、側板と棚板を接合する際、接合する方向と同じ方向からネジで固定していく従来の組立方法では、側板を挟んで左右両側の棚を同一水平ライン上で取り付けることが出来ない。これは組立式の棚において、より自由度の高いレイアウトを行う上での足枷となっている。
【先行技術文献】
【特許文献】
【０００６】
【特許文献１】特開２０１４−１１３４１１号公開
【特許文献２】特開２０１１−４７９４号公開
【発明の概要】
【発明が解決しようとする課題】
【０００７】
解決しようとする課題は、棚における可動棚の位置を変更しにくい点、従来の組立棚における組立方法では、棚の自由なレイアウトを行いにくい点である。
【課題を解決するための手段】
【０００８】
可動棚にダボを取り付け、棚位置を変更する際は棚とダボを同時に動かす。可動棚のダボは、本発明の棚受柱の波形状に欠き取られた面の谷にあたる溝で支える。可動棚のダボを支える溝の位置を、正面から最小動作で変更出来るようにする。棚受柱は側板の溝に差し込んで取り付け、簡単に脱着出来るようにする。棚の組立は、本発明の接合仲介部品を使って、接合する方向に対し、直交する方向からネジで固定する。
【発明の効果】
【０００９】
本発明の棚受柱は、波形状に欠き取られた面とそれに直交する、支持部になる差込面を持つ。棚受柱はその差込面を側板に加工された縦溝に差し込んで取り付け、側板から簡単に脱着出来るようになっている。
【００１０】
棚受柱を取り付ける為に、側板の両側面に上端から下端に向けて加工された縦溝は、棚受柱を側板の片面にしか取り付けない場合、表に見えてくる。一般的な可動棚付きの棚において、側板の側面に縦に連続して開けられる棚ダボ用の孔に比べ、縦溝は加工性と意匠性に優れる。
【００１１】
接合仲介部品は、接合する二部材を、接合する方向に対して直交する方向からネジで固定出来るようにした部品である。この接合仲介部品を使うことで、側板を挟んだ左右両側の棚板を、同一水平ライン上で固定出来るようになり、より自由度の高いレイアウトの棚を組立式で作れるようになる。（図１６参照）
【図面の簡単な説明】
【００１２】
【図１】姿図
【図２】組立図
【図３】左棚受柱
【図４】右棚受柱
【図５】接合仲介部品    （A)平面図  （B）背面図  （C)正面図  （D）側面図  （E) a-a' 断面図
【図６】補強部品    （A)平面図  （B)正面図  （C)側面図
【図７】固定棚    （A)平面図  （B) c-c' 断面図  （C）正面図  （D） b-b' 断面図
【図８】可動棚    （A)平面図  （B）側面頭  （C）正面図
【図９】側板小    （A）正面図  （B）側面図  （C)平面図
【図１０】側板大    （A)正面図  （B)側面図  （C）平面図
【図１１】右側部品取り付け図    （A)正面図  （B)側面図  （C)平面図
【図１２】左側部品取り付け図    （A)正面図  （B)側面図  （C)平面図
【図１３】両側部品取り付け図    （A)正面図  （B）側面図  （C）平面図
【図１４】可動棚固定時    （A)正面図  （B）側面図  （C)平面図
【図１５】固定棚接合時
【図１６】棚の組替え例    （A)変形例  （B）増設例
【図１７】棚受柱の形状応用例
【図１８】接合仲介部品を使った構造物事例
【実施例】
【００１３】
本発明の棚受柱１０，２０は、波形状に欠き取られた面の、山の部分を斜め上に、谷の部分を斜め下に傾けた形状面と、その形状面に直交した、支持部になる面12、22を持つ。この面１２、２２は棚受柱の波形状に欠き取られた面を側板の側面に対し、平行に取り付けるために設けられる。
【００１４】
棚受柱１０、２０を取り付ける側板４０、３０には、両側面の前後に前溝３１，４１と後溝３２、４２と接合仲介部品７０を取り付ける為の貫通孔３３、４３が開けられている。側板は片面だけでも両面でも使うことが出来る。また側板の片面しか棚受柱を取り付けない場合、前溝３１、４１、後溝３２、４２が表に見えてくる。これは可動棚を備えた従来の棚の側板に開けられるダボ孔に代わるもので、加工性と意匠性に優れている。
【００１５】
波形状に縦に欠き取られた面の山の部分を斜め上に、谷の部分を斜め下に傾けた形状面を持つ棚受柱１０、２０は、その形状面に直交した、支持部になる差込面１２，２２を側板の側面に開けられた前溝３１、４１と後溝３２、４２に差し込んで取り付ける。その際、波形状に欠き取られた面の斜め上に向けた山の部分を正面に向けて、側板の側面に対し平行に取り付ける。
【００１６】
側板に取り付けた棚受柱１０、２０の溝１１、２１が、可動棚６０の側面に取り付けた四箇所のダボ６１を受けて棚を支える。棚位置を変更する場合は、可動棚６０を斜め上に向かって手前に引き、一旦棚受柱の溝１１、２１から可動棚６０のダボ６１を外し、別の位置の溝にダボ６１を落とし込み変える。（図１４（B）参照）
【００１７】
棚受柱の波形状に欠き取られた面は側板の側面に対し平行に取り付ける。その際、波形状に欠き取られた面と側板の側面との間に隙間が出来るようになっている。（図１４（C）参照）これは本発明の棚受柱が、ダボ付き可動棚６０を支え、正面から最小動作で棚位置を変更出来るようにする上で特徴的な取り付け方法である。また可動棚６０のダボ６１を差し込み口により近い根元のところで支えることにもなり、可動棚を安定して保持する役割も同時に担っている。（図１４（A）参照）
【００１８】
本発明の棚受柱は、ダボ付き可動棚を正面から最小動作で変更出来るようにするものである。（図１４（B）参照）これは波形状に縦に欠き取られた面の山の部分を斜め上に、谷の部分を斜め下に傾けた形状面と、その形状面に対し直交した支持部を持ち、波形状の面を、取り付け面に対し平行に取り付けることが出来れば、同等の効果を得られるため、図１７のような棚受柱も考えられる。
【００１９】
本発明の接合仲介部品７０は、接合する二つの部材を、接合する方向に対して、直交する方向からネジで固定していく機能を有する。
【００２０】
接合仲介部品７０に開けられた貫通孔７２、７３と側板に開けられた貫通孔３３、４３に、ジョイントボルト小９０、またはジョイントボルト大９１を通し、ジョイントナット１００で接合仲介部品７０を挟みこむようにして側板に取り付ける。
【００２１】
図１１は正面から見て左側に、図１２は右側、図１３は両側に棚を固定するために接合仲介部品７０を側板小４０に取り付けた図である。この側板小４０に取り付けた接合仲介部品７０は、固定棚５０の側面に開けられた溝５１に差し込まれる。この段階で接合仲介部品７０は表から完全に見えなくなるので、接合部がすっきりする。（図１、図１５参照）
【００２２】
接合仲介部品７０には、側板に取り付ける為のジョイントボルト小９０またはジョイントボルト大９１を通すための貫通孔７２、７３がZ方向（図５（A)参照）に開けられている。その貫通孔７２、７３に直行するY方向（図５（C）参照）にはY方向からの力を斜めに受ける傾斜面７４が設けられている。（図５（E）参照）固定棚５０の側面に、側板に取り付けた接合仲介部品７０を差し込んだ状態で、この傾斜面７４には固定棚の溝５１に取り付けた補強部品８０のネジ孔８１からねじ込まれるイモネジ１１０が、接合仲介部品７０の丸孔７１を通って到達出来るようになっている。
【００２３】
傾斜面７４に到達したイモネジ１１０はそのまま傾斜面７４をネジの先端で押していく。そうすると補強部品８０を取り付けた固定棚５０はイモネジ１１０が逃げようとする方向、すなわち側板の方に引っ張られる。（図１５参照）補強部品８０はこのイモネジ１１０が逃げようとする力に耐えるよう固定棚５０の溝５１に取り付けられる。また、イモネジ１１０から押される傾斜面７４を持つ接合仲介部品７０は、ボルト９０、とボルトナット１００を使って側板に強固に取り付ける。
【００２４】
本発明の接合仲介部品７０は、接合する二部材を接合する方向に対し直交する方向からネジで固定していく機能を有している。この接合方法を用いることによって、側板を挟んで左右両側の棚板を同一水平ライン上で接合することが組立式で出来るようになる。これは本発明の接合仲介部品７０の大きな特徴である。（図１８参照）
【００２５】
本発明の棚受柱１０、２０と接合仲介部品７０を使った組立棚は、棚位置を容易に変更出来る機能を持ち、比較的自由度の高いレイアウトを実現出来るものである。
【００２６】
本発明の棚受柱１０，２０と接合仲介部品７０とこれらを取り付ける為の溝３１、３２、４１，４２と貫通孔３３，４３が施された側板と接合仲介部品７０を差し込む溝５１が両側面に加工された固定棚５０とダボ６１を取り付けた可動棚６０で構成される。
【００２７】
棚受柱１０、２０は側板の両側面に加工された溝３１、３２、４１、４２に差し込んで取り付ける。棚受柱の突起１３，２３は接合仲介部品を側板に取り付けることによって、溝からの抜け防止となっている。接合仲介部品７０を側板から外すと、棚受柱１０、２０も容易に側板から取り外すことが出来るので、棚を解体する際は部品の取り外しが短時間で行える。
【００２８】
本発明の棚受柱１０、２０と接合仲介部品７０を取り付ける側板大３０、側板小４０、固定棚５０、可動棚６０のサイズは任意で設定する。側板は前後の向きが決まっているが、片面だけでも両面でも使うことが出来る。固定端と可動棚は前後、裏表の向きの制約がなく使うことが出来る。固定棚に関しては、接合仲介部品７０を上下逆さまにして側板に取り付けることで、イモネジ１１０を締めこむ面を設定することが出来る。（図２の５０A、５０C参照）
【００２９】
接合仲介部品７０を使うことで、側板を挟んで左右両側の棚を同一水平ライン上で接合することが出来、また接合仲介部品７０は固定棚の溝５１に差し込まれ表から見えなくなるので、より自由度の高いレイアウトを行うことが出来、かつ接合部のすっきりした組立棚をつくることが出来る。図１６（A)は棚を変形したもの、図１６（B)は棚を増設した図である。また本発明の棚受柱を取り付けることで、棚位置を簡単に変更出来る可動棚を備えることが出来、棚の機能性をより高めることが出来る。
【産業上の利用可能性】
【００３０】
棚受柱は直接壁に取り付けれは、可動棚式の作り付けの棚を作ることが出来、接合仲介部品を壁に取り付け、片方の側面のみ接合仲介部品を差し込むための溝を加工した棚を使って、片持ちの棚を作ることが出来る。垂直、水平材からなるシンプルで汎用性のある棚における機能性を高める部品として、一般家庭からオフィス、店舗に至るまで幅広い活用の場が見込める。
【符号の説明】
【００３１】
１０       左棚受柱
１１、２１   溝
１２、２２  差込面
１３，２３  突起
２０      右棚受柱
３０      側板大
３１，４１  前溝
３２，４２   後溝
３３，４３  貫通孔
４０       側板小
５０      固定棚
５１      溝
５２      丸孔
６０      可動棚
６１      棚ダボ
７０      接合仲介部品
７１       丸孔
７２       丸孔
７３       丸孔
７４       傾斜面
８０      補強部品
８１       ネジ孔
８２      皿孔
９０       ジョイントボルト小
９１        ジョイントボルト大
１００      ジョイントナット
１１０       イモネジ
【図１】
2016083244.tif 000003
【図２】
2016083244.tif 000004
【図３】
2016083244.tif 000005
【図４】
2016083244.tif 000006
【図５】
2016083244.tif 000007
【図６】
2016083244.tif 000008
【図７】
2016083244.tif 000009
【図８】
2016083244.tif 000010
【図９】
2016083244.tif 000011
【図１０】
2016083244.tif 000012
【図１１】
2016083244.tif 000013
【図１２】
2016083244.tif 000014
【図１３】
2016083244.tif 000015
【図１４】
2016083244.tif 000016
【図１５】
2016083244.tif 000017
【図１６】
2016083244.tif 000018
【図１７】
2016083244.tif 000019
【図１８】
2016083244.tif 000020